(57)【要約】【課題】止め輪の周方向長さの誤差を許容しつつ、止め輪の切断部にころが入り込むことを防止して、止め輪の切断面ところとの衝突を回避することができるころ軸受を提供する。【解決手段】内周面に外輪軌道面１１ａを有する外輪１１と、外周面に内輪軌道面１２ａを有する内輪１２と、外輪軌道面１１ａと内輪軌道面１２ａとの間に転動自在に設けられる複数のころ１３と、外輪１１の内周面及び内輪１２の外周面の少なくとも一方に設けられる止め輪１４と、を備え、止め輪１４は、周方向１箇所に切断部１５を有し、止め輪１４の周方向一端の少なくとも一部と周方向他端の少なくとも一部が軸方向に干渉する。【選択図】図２
2017125577.tif 000002
【特許請求の範囲】
【請求項１】
内周面に外輪軌道面を有する外輪と、
外周面に内輪軌道面を有する内輪と、
前記外輪軌道面と前記内輪軌道面との間に転動自在に設けられる複数のころと、
前記外輪の内周面及び前記内輪の外周面の少なくとも一方に設けられる止め輪と、を備え、
前記止め輪は、周方向１箇所に切断部を有し、
前記止め輪の周方向一端の少なくとも一部と周方向他端の少なくとも一部が軸方向に干渉するころ軸受。
【請求項２】
前記止め輪の周方向両端の切断面に、前記止め輪の軸方向に対して傾斜する傾斜面が互いに対向するようにそれぞれ形成される請求項１に記載のころ軸受。
【請求項３】
前記止め輪の周方向両端間の軸方向端部に隙間が形成され、
前記隙間の周方向寸法は、前記ころの外径よりも小さく設定される請求項１又は２に記載のころ軸受。
【発明の詳細な説明】
【技術分野】
【０００１】
本発明は、ころ軸受に関し、より詳細には、止め輪を備えるころ軸受に関する。
【背景技術】
【０００２】
円筒ころ軸受では、通常、内輪と外輪が分離可能な構造となっているが、外輪、内輪、及び円筒ころから構成される保持器のない総ころタイプの円筒ころ軸受の場合、外輪から内輪が抜けてしまうと円筒ころがばれて脱落するという問題がある。そのため、従来では、内輪軌道面又は外輪軌道面の端面付近に止め輪を設けて、外輪から内輪が抜けるのを防ぐ円筒ころ軸受が知られている（例えば、特許文献１。２参照）。
【先行技術文献】
【特許文献】
【０００３】
【特許文献１】特開平０９−１７７７７０号公報
【特許文献２】特開２００４−２１８７７６号公報
【発明の概要】
【発明が解決しようとする課題】
【０００４】
ところで、上記特許文献１に記載の円筒ころ軸受では、止め輪が切断部で周方向に完全に途切れているため、搬送中に円筒ころが切断部に入り込み、そのままの状態で軸受が回転した場合、円筒ころが止め輪の切断面に衝突して、破損・脱落が生じる可能性があった。
【０００５】
また、上記特許文献２に記載の円筒ころ軸受では、止め輪を外輪に取り付けた際に、止め輪の切断面同士が圧接状態となるため、止め輪の周方向長さの誤差を許容しにくいという問題があった。
【０００６】
本発明は、前述した課題に鑑みてなされたものであり、その目的は、止め輪の周方向長さの誤差を許容しつつ、止め輪の切断部にころが入り込むことを防止して、止め輪の切断面ところとの衝突を回避することができるころ軸受を提供することにある。
【課題を解決するための手段】
【０００７】
本発明の上記目的は、下記の構成により達成される。
（１）内周面に外輪軌道面を有する外輪と、外周面に内輪軌道面を有する内輪と、外輪軌道面と内輪軌道面との間に転動自在に設けられる複数のころと、外輪の内周面及び内輪の外周面の少なくとも一方に設けられる止め輪と、を備え、止め輪は、周方向１箇所に切断部を有し、止め輪の周方向一端の少なくとも一部と周方向他端の少なくとも一部が軸方向に干渉するころ軸受。
（２）止め輪の周方向両端の切断面に、止め輪の軸方向に対して傾斜する傾斜面が互いに対向するようにそれぞれ形成される（１）に記載のころ軸受。
（３）止め輪の周方向両端間の軸方向端部に隙間が形成され、隙間の周方向寸法は、ころの外径よりも小さく設定される（１）又は（２）に記載のころ軸受。
（４）（１）〜（３）のいずれか１つに記載のころ軸受が使用される連続鋳造機。
【発明の効果】
【０００８】
本発明によれば、止め輪が周方向１箇所に切断部を有し、止め輪の周方向一端の少なくとも一部と周方向他端の少なくとも一部が軸方向に干渉するため、止め輪の周方向長さの誤差を許容しつつ、止め輪の切断部にころが入り込むことを防止して、止め輪の切断面ところとの衝突を回避することができる。
【図面の簡単な説明】
【０００９】
【図１】本発明に係るころ軸受の一実施形態を説明する断面図である。
【図２】図１に示す止め輪の切断部の周辺を径方向外側から見た拡大側面図である。
【図３】図２に示す止め輪の変形例を説明する図２に対応する拡大側面図である。
【発明を実施するための形態】
【００１０】
以下、本発明に係るころ軸受の一実施形態について、図面に基づいて詳細に説明する。
【００１１】
本実施形態の円筒ころ軸受１０は、図１に示すように、保持器を有さない総ころ式の円筒ころ軸受であって、内周面に外輪軌道面１１ａを有する外輪１１と、外周面に内輪軌道面１２ａを有する内輪１２と、外輪軌道面１１ａと内輪軌道面１２ａとの間に転動自在に設けられる複数の円筒ころ１３と、を備える。なお、円筒ころ軸受１０は、保持器を有していてもよい。
【００１２】
外輪１１の内周面の軸方向両端部には、鍔部１１ｂがそれぞれ形成されており、この鍔部１１ｂと外輪軌道面１１ａとの間には、逃げ部１１ｃが形成されている。
【００１３】
円筒ころ１３は、外輪軌道面１１ａ及び内輪軌道面１２ａと接する転動面１３ａと、軸方向端面１３ｂと、を有し、転動面１３ａの軸方向端部と軸方向端面１３ｂとの間に、曲面形状の面取り部１３ｃが全周に亘って形成されている。
【００１４】
外輪１１の外輪軌道面１１ａ、内輪１２の内輪軌道面１２ａ、円筒ころ１３の転動面１３ａは、単一円弧形状のクラウニング形状に形成されている。これにより、円筒ころ軸受１０は、調心機能を有することとなる。なお、クラウニング形状は、単一円弧形状に限定されず、対数形状、２個以上の複数円弧形状、軌道面（転動面）の中央にストレート部を有する形状であってもよい。また、円筒ころ１３の転動面１３ａのクラウニング形状は図示では誇張されていない。
【００１５】
そして、内輪１２の外周面の軸方向両端部には、全周に亘って溝部１２ｂがそれぞれ形成されており、この溝部１２ｂには、円環状の止め輪１４が取り付けられている。
【００１６】
また、止め輪１４は、Ｃ字形状の円環状部材であって、周方向１箇所に切断部１５を有している。この切断部１５の切断面（止め輪１４の周方向端面）１６は、図２に示すように、止め輪１４の軸方向に沿って形成されている。また、止め輪１４は、拡径して溝部１２ｂに挿入され、その切断面１６同士を互いに接近させる付勢力を備えている。
【００１７】
そして、止め輪１４の周方向両端の切断面１６には、止め輪１４の軸方向に対して傾斜する傾斜面１７が互いに対向するようにそれぞれ形成されている。このため、両傾斜面１７は、周方向に互いにオーバーラップして、互い違いに面接触している。換言すると、止め輪１４の周方向一端の一部（傾斜面１７）と周方向他端の一部（傾斜面１７）が軸方向に干渉している。従って、止め輪１４には、軸方向に貫通する隙間は存在しない。なお、傾斜面１７は、本実施形態では、切断面１６の一部に形成されているが、これに限定されず、切断面１６の全面に亘って形成されていてもよい。
【００１８】
また、図２に示すように、止め輪１４の周方向両端間の軸方向端部、即ち、止め輪１４の一方端の切断面１６と他方端の傾斜面１７との間には、径方向視略三角形状の隙間１８が形成されており、この隙間１８の周方向寸法Ｓ１は、円筒ころ１３の外径Ｄよりも小さく設定されている。従って、止め輪１４の隙間１８に、円筒ころ１３が入り込みにくくなっている。即ち、溝部１２ｂに止め輪１４が挿入された状態で、隙間１８の周方向寸法Ｓ１＜円筒ころ１３の外径Ｄであればよい。
【００１９】
以上説明したように、本実施形態の円筒ころ軸受１０によれば、止め輪１４の周方向両端の切断面１６に、止め輪１４の軸方向に対して傾斜する傾斜面１７が互いに対向するようにそれぞれ形成されるため、止め輪１４の周方向長さの誤差を許容しつつ、止め輪１４の切断部１５に円筒ころ１３が入り込むことを防止して、止め輪１４の切断面１６と円筒ころ１３との衝突を回避することができる。
【００２０】
また、本実施形態の円筒ころ軸受１０によれば、止め輪１４の隙間１８の周方向寸法Ｓ１が、円筒ころ１３の外径Ｄよりも小さく設定されるため、止め輪１４の切断部１５に円筒ころ１３が入り込むのを更に防止することができる。
【００２１】
なお、本実施形態の変形例として、図３に示すように、止め輪１４の周方向一方の切断面１６に周方向に突出する略三角形状の凸部２１を形成し、止め輪１４の周方向他方の切断面１６に凸部２１を所定の隙間２３を介して収容する略Ｖ字形状の凹部２２を形成してもよい。また、この隙間２３の軸方向端部の周方向寸法Ｓ２は、円筒ころ１３の外径Ｄよりも小さく設定されている。
【００２２】
本変形例によれば、止め輪１４の周方向一方の切断面１６に周方向に突出する凸部２１が形成され、止め輪１４の周方向他方の切断面１６に凸部２１を所定の隙間２３を介して収容する凹部２２が形成されるため、止め輪１４の周方向長さの誤差を許容しつつ、止め輪１４の切断部１５に円筒ころ１３が入り込むことを防止して、止め輪１４の切断面１６と円筒ころ１３との衝突を回避することができる。
【００２３】
また、本変形例によれば、止め輪１４の隙間２３の軸方向端部の周方向寸法Ｓ２が、円筒ころ１３の外径Ｄよりも小さく設定されるため、止め輪１４の切断部１５に円筒ころ１３が入り込むのを更に防止することができる。
【００２４】
なお、本発明は上記実施形態に例示したものに限定されるものではなく、本発明の要旨を逸脱しない範囲において適宜変更可能である。
例えば、内輪の外周面の軸方向一端部に鍔部を設けて、内輪の外周面の軸方向他端部に止め輪を設けるようにしてもよい。
また、内輪の外周面の軸方向両端部に鍔部を設けて、外輪の内周面の軸方向両端部に止め輪を設けるようにしてもよい。
また、内輪の外周面の軸方向両端部に鍔部を形成して、外輪の内周面の軸方向一端部に鍔部を設けると共に、外輪の内周面の軸方向他端部に止め輪を設けるようにしてもよい。
また、内輪の外周面の軸方向両端部及び外輪の内周面の軸方向両端部の全てに止め輪をそれぞれ設けるようにしてもよい。
また、本発明に係るころ軸受は、例えば、連続鋳造機のガイドロールの軸方向両端部を支持するために使用される。
【符号の説明】
【００２５】
１０    円筒ころ軸受
１１    外輪
１１ａ  外輪軌道面
１２    内輪
１２ａ  内輪軌道面
１３    円筒ころ
１４    止め輪
１５    切断部
１６    切断面
１７    傾斜面
１８    隙間
２１    凸部
２２    凹部
２３    隙間
Ｓ１    隙間の周方向寸法
Ｓ２    隙間の周方向寸法
Ｄ      円筒ころの直径
【図１】
2017125577.tif 000003
【図２】
2017125577.tif 000004
【図３】
2017125577.tif 000005